(57)【要約】【課題】全シーケンスの時間は変えずに１回のミラー駆動シーケンスにおける撮影枚数を１駒と複数駒とに切換可能とし、簡易な操作で所望とする一瞬を撮影可能とする。【解決手段】本発明のデジタルカメラは、被写体光束を被写体を観察する観察光学系に導く第１の位置と、被写体光束の光路中から退避して被写体光束を撮像素子に導くための第２の位置に可動する反射ミラーを有し、この反射ミラーが第１の位置から第２の位置に移動し、再び第１の位置に移動する所定の期間に撮像素子に対し１回の撮像を行なわせる１駒撮影モードと、所定の期間に撮像素子に対し任意回数の撮像を行なわせる複数駒撮影モードとのどちらかの撮影モードを選択して撮影を制御する制御手段とを有し、複数駒撮影モードのときの複数の撮像は、１駒撮影モードで撮像されるときのタイミングの前後に実行される。【選択図】図１
2010206818.tif 000002
【特許請求の範囲】
【請求項１】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第１の位置から上記第２の位置に移動し、再び上記第１の位置に移動する所定の期間に上記撮像素子に対し１回の撮像を行なわせる１駒撮影モードと、上記所定の期間に上記撮像素子に対し任意回数の撮像を行なわせる複数駒撮影モードとのどちらかの撮影モードを選択して撮影を制御する制御手段と、
を有し、
上記複数駒撮影モードのときの上記複数の撮像は、上記１駒撮影モードで撮像されるときのタイミングの前後に実行されることを特徴とするデジタルカメラ。
【請求項２】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第１の位置から上記第２の位置に移動し、再び上記第１の位置に移動する所定の期間に上記撮像素子に対し１回の撮像を行なわせる１駒撮影モード手段と、
上記所定の期間に上記撮像素子に対し任意回数の撮像を行なわせる複数駒撮影モード手段と、
上記１駒撮影モード手段と上記複数駒撮影モード手段のどちらかを実行させるための撮影モード選択手段と、
上記複数駒撮影モードのときの撮像回数を設定する撮像回数設定手段と、
上記撮影モード選択手段の選択結果に基づいて撮影を制御する制御手段と、
を有し、
上記複数駒撮影モードのときの上記複数の撮像は、上記１駒撮影モードで撮像されるときのタイミングの前後に実行されることを特徴とするデジタルカメラ。
【請求項３】
上記デジタルカメラは１眼レフカメラであることを特徴とする請求項１又は２記載のデジタルカメラ。
【請求項４】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にある所定の期間内に上記撮像素子に対し複数回の撮像を行なうことが可能で、上記複数回の撮像を行なうときに、所定回数以上の撮像動作を行い上記所定の期間を越える場合は上記反射ミラーを上記第２の位置から上記第１の位置に移動させる時期を、上記所定回数未満での撮像のときよりも遅延させる制御を行なう制御手段と、
を有することを特徴とするデジタルカメラ。
【請求項５】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にあるときの所定の期間で上記撮像素子に対し複数回の撮像を行なわせる複数駒撮影モード手段と、
上記複数駒撮影モードで撮像回数を設定する撮像回数設定手段と、
上記複数駒撮影モードで上記複数回の撮像を行なうときに、所定回数以上の撮像動作を行い上記所定の期間を越える場合は上記反射ミラーを上記第２の位置から上記第１の位置に移動させる時期を、上記所定回数未満での撮像のときよりも遅延させる制御手段と、
を有することを特徴とするデジタルカメラ。
【請求項６】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にある所定の期間内に上記撮像素子に対し１回の撮像を行なわせる１駒撮影モードと、上記反射ミラーが上記第２の位置にあるとき複数回の撮像を行なうことが可能な複数駒撮影モードとに切換可能で、上記複数回の撮像を行なうときに所定回数以上の撮像動作が上記所定の期間を越える場合は上記反射ミラーを上記第２の位置から上記第１の位置に移動させる時期を、上記１駒撮影モードにあるときよりも遅延制御する制御手段と、
を有することを特徴とするデジタルカメラ。
【請求項７】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置に所定の期間あるときに上記撮像素子に対し１回の撮像を行なわせる１駒撮影モード手段と、
上記反射ミラーが上記第２の位置にあるときに上記撮像素子に対し複数回の撮像を行なわせる複数駒撮影モード手段と、
上記１駒撮影モード手段と上記複数駒撮影モード手段のどちらかを実行させるための撮影モード選択手段と、
上記複数駒撮影モードのときの撮像回数を設定する撮像回数設定手段と、
上記撮影モード選択手段の選択結果に基づいて上記複数駒撮影モードが選択され、上記所定の期間を越えて所定の回数以上、上記複数回の撮像が行なわれるときは上記反射ミラーを上記第２の位置から上記第１の位置に移動させる時期を、上記１駒撮影モードにあるときよりも遅延制御する制御手段と、
を有することを特徴とするデジタルカメラ。
【請求項８】
上記デジタルカメラは１眼レフカメラであることを特徴とする請求項４乃至７のうちいずれか１項記載のデジタルカメラ。
【請求項９】
上記反射ミラーが上記第２の位置にあるときには観察光学系の観察像は消失していることを特徴とする請求項８記載のデジタルカメラ。
【請求項１０】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
被写体に対し発光を行なうストロボ装置を発光させるための発光信号を出力する発光信号出力手段と、
上記反射ミラーが上記第２の位置にある所定の期間に上記撮像素子に対し複数回の撮像を行なわせ、それぞれの撮像に同期させて上記発光信号出力手段から発光信号を出力可能とする制御手段と、
を有することを特徴とするデジタルカメラ。
【請求項１１】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
被写体に対し発光を行なうストロボ装置を発光させるための発光信号を出力する発光信号出力手段と、
上記反射ミラーが上記第２の位置にある所定の期間に上記撮像素子に対し複数回の撮像を行なわせる複数駒撮影モード手段と、
上記複数駒撮影モード手段において、上記発光信号出力手段から上記発光信号を上記撮像それぞれに同期して出力することを可能とする制御を行なうように制御手段と、
を有することを特徴とするデジタルカメラ。
【請求項１２】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
被写体に対し発光を行なうストロボ装置を発光させるための発光信号を出力する発光信号出力手段と、
上記反射ミラーが上記第２の位置にある所定の期間に上記撮像素子に対し１回の撮像を行なわせる１駒撮影モードと上記所定の期間に上記撮像素子に対し複数回の撮像を行なわせる複数駒撮影モードのどちらかを選択し、上記複数駒撮影モードが選択されたとき、上記複数回の撮像それぞれに同期して上記発光信号出力手段から発光信号を出力するように制御する制御手段と、
を有することを特徴とするデジタルカメラ。
【請求項１３】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
被写体に対し発光を行なうストロボ装置を発光させるための発光信号を出力する発光信号出力手段と、
上記反射ミラーが上記第２の位置にある所定の期間に上記撮像素子に対し１回の撮像を行なわせる１駒撮影モード手段と、
上記所定の期間に上記撮像素子に対し複数回の撮像を行なわせる複数駒撮影モード手段と、
上記１駒撮影モード手段と上記複数駒撮影モード手段のどちらかを実行させるための撮影モード選択手段と、
上記撮影モード選択手段の選択によって上記複数駒撮影モード手段が選択されたときは、上記複数回の撮像それぞれに同期して上記発光信号出力手段から上記発光信号を出力するように制御する制御手段と、
を有することを特徴とするデジタルカメラ。
【請求項１４】
上記デジタルカメラは１眼レフカメラであることを特徴とする請求項１０乃至１３のうちいずれか１項記載のデジタルカメラ。
【請求項１５】
上記デジタルカメラはストロボ装置を有することを特徴とする請求項１０乃至１４のうちいずれか１項記載のデジタルカメラ。
【発明の詳細な説明】
【技術分野】
【０００１】
本発明は、デジタルカメラに係り、特に連続撮影を行うことが可能な一眼レフレックスタイプのデジタルカメラに関する。
【背景技術】
【０００２】
従来、一眼レフレックスタイプのカメラ（以下、一眼レフカメラと略記する）では、１コマにつき内蔵するクイックリターンミラーを１回光路退避位置へ移動させて撮影を行っている。また、１回のレリーズ操作に対して、クイックリターンミラーを上げた状態を保持しつつ複数コマの連続撮影を行うカメラが知られている。そして、この種の技術について、例えば特許文献１では、光学系の入射光を撮像素子側に保持しつつ、１回のミラー駆動で複数コマの高速撮影を可能とするカメラが開示されている。また、今日では、所謂連写モード時に８コマ／秒程度の連写を実現するカメラも実用化されている。
【先行技術文献】
【特許文献】
【０００３】
【特許文献１】特開平８−２７８５４１号公報
【発明の概要】
【発明が解決しようとする課題】
【０００４】
ところで、高速で移動している被写体やスポーツ写真等で、決定的な瞬間を捉えたい場合には、数ｍｓｅｃ〜１０数ｍｓｅｃのずれが、撮影タイミングを逃す事態を招く要因となることがある。また、８コマ／秒程度の連続撮影が可能なカメラは、その撮影間隔が１００〜１２５ｍｓｅｃであり、上述したタイミングを逸する可能性が高い。
【０００５】
一方、動画撮影については、一般的に市場に出回っているカメラでは１／６０ｓｅｃ毎に撮影を行っているが、この場合でも、その撮影間隔は１６．７ｍｓｅｃであり、高速での対応は不十分である。更に、動画の場合には、一瞬を捉えたいという撮影者の意図には合わず、無駄な撮影を行ってしまうという課題を依然として有している。  
本発明の目的とするところは、全シーケンスの時間は変えずに１回のミラー駆動シーケンスにおける撮影枚数を１駒と複数駒とに切換可能とし、簡易な操作で所望とする一瞬を撮影可能とすることにある。
【課題を解決するための手段】
【０００６】
本発明の主要な第１の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第１の位置から上記第２の位置に移動し、再び上記第１の位置に移動する所定の期間に上記撮像素子に対し１回の撮像を行なわせる１駒撮影モードと、上記所定の期間に上記撮像素子に対し任意回数の撮像を行なわせる複数駒撮影モードとのどちらかの撮影モードを選択して撮影を制御する制御手段とを有し、上記複数駒撮影モードのときの上記複数の撮像は、上記１駒撮影モードで撮像されるときのタイミングの前後に実行される。
【０００７】
本発明の主要な第２の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第１の位置から上記第２の位置に移動し、再び上記第１の位置に移動する所定の期間に上記撮像素子に対し１回の撮像を行なわせる１駒撮影モード手段と、上記所定の期間に上記撮像素子に対し任意回数の撮像を行なわせる複数駒撮影モード手段と、上記１駒撮影モード手段と上記複数駒撮影モード手段のどちらかを実行させるための撮影モード選択手段と、上記複数駒撮影モードのときの撮像回数を設定する撮像回数設定手段と、上記撮影モード選択手段の選択結果に基づいて撮影を制御する制御手段とを有し、上記複数駒撮影モードのときの上記複数の撮像は、上記１駒撮影モードで撮像されるときのタイミングの前後に実行される。
【０００８】
本発明の主要な第３の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にある所定の期間内に上記撮像素子に対し複数回の撮像を行なうことが可能で、上記複数回の撮像を行なうときに、所定回数以上の撮像動作を行い上記所定の期間を越える場合は上記反射ミラーを上記第２の位置から上記第１の位置に移動させる時期を、上記所定回数未満での撮像のときよりも遅延させる制御を行なう制御手段とを有する。
【０００９】
本発明の主要な第４の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にあるときの所定の期間で上記撮像素子に対し複数回の撮像を行なわせる複数駒撮影モード手段と、上記複数駒撮影モードで撮像回数を設定する撮像回数設定手段と、上記複数駒撮影モードで上記複数回の撮像を行なうときに、所定回数以上の撮像動作を行い上記所定の期間を越える場合は上記反射ミラーを上記第２の位置から上記第１の位置に移動させる時期を、上記所定回数未満での撮像のときよりも遅延させる制御手段とを有する。
【００１０】
本発明の主要な第５の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にある所定の期間内に上記撮像素子に対し１回の撮像を行なわせる１駒撮影モードと、上記反射ミラーが上記第２の位置にあるとき複数回の撮像を行なうことが可能な複数駒撮影モードとに切換可能で、上記複数回の撮像を行なうときに所定回数以上の撮像動作が上記所定の期間を越える場合は上記反射ミラーを上記第２の位置から上記第１の位置に移動させる時期を、上記１駒撮影モードにあるときよりも遅延制御する制御手段とを有する。
【００１１】
本発明の主要な第６の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置に所定の期間あるときに上記撮像素子に対し１回の撮像を行なわせる１駒撮影モード手段と、上記反射ミラーが上記第２の位置にあるときに上記撮像素子に対し複数回の撮像を行なわせる複数駒撮影モード手段と、上記１駒撮影モード手段と上記複数駒撮影モード手段のどちらかを実行させるための撮影モード選択手段と、上記複数駒撮影モードのときの撮像回数を設定する撮像回数設定手段と、上記撮影モード選択手段の選択結果に基づいて上記複数駒撮影モードが選択され、上記所定の期間を越えて所定の回数以上、上記複数回の撮像が行なわれるときは上記反射ミラーを上記第２の位置から上記第１の位置に移動させる時期を、上記１駒撮影モードにあるときよりも遅延制御する制御手段とを有する。
【００１２】
本発明の主要な第７の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、被写体に対し発光を行なうストロボ装置を発光させるための発光信号を出力する発光信号出力手段と、上記反射ミラーが上記第２の位置にある所定の期間に上記撮像素子に対し複数回の撮像を行なわせ、それぞれの撮像に同期させて上記発光信号出力手段から発光信号を出力可能とする制御手段とを有する。
【００１３】
本発明の主要な第８の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、被写体に対し発光を行なうストロボ装置を発光させるための発光信号を出力する発光信号出力手段と、上記反射ミラーが上記第２の位置にある所定の期間に上記撮像素子に対し複数回の撮像を行なわせる複数駒撮影モード手段と、上記複数駒撮影モード手段において、上記発光信号出力手段から上記発光信号を上記撮像それぞれに同期して出力することを可能とする制御を行なうように制御手段とを有する。
【００１４】
本発明の主要な第９の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、被写体に対し発光を行なうストロボ装置を発光させるための発光信号を出力する発光信号出力手段と、上記反射ミラーが上記第２の位置にある所定の期間に上記撮像素子に対し１回の撮像を行なわせる１駒撮影モードと上記所定の期間に上記撮像素子に対し複数回の撮像を行なわせる複数駒撮影モードのどちらかを選択し、上記複数駒撮影モードが選択されたとき、上記複数回の撮像それぞれに同期して上記発光信号出力手段から発光信号を出力するように制御する制御手段とを有する。
【００１５】
本発明の主要な第１０の局面に係るデジタルカメラは、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、被写体に対し発光を行なうストロボ装置を発光させるための発光信号を出力する発光信号出力手段と、上記反射ミラーが上記第２の位置にある所定の期間に上記撮像素子に対し１回の撮像を行なわせる１駒撮影モード手段と、上記所定の期間に上記撮像素子に対し複数回の撮像を行なわせる複数駒撮影モード手段と、上記１駒撮影モード手段と上記複数駒撮影モード手段のどちらかを実行させるための撮影モード選択手段と、上記撮影モード選択手段の選択によって上記複数駒撮影モード手段が選択されたときは、上記複数回の撮像それぞれに同期して上記発光信号出力手段から上記発光信号を出力するように制御する制御手段とを有する。
【発明の効果】
【００１６】
本発明によれば、全シーケンスの時間は変えずに１回のミラー駆動シーケンスにおける撮影枚数を１駒と複数駒とに切換可能とし、簡易な操作で所望とする一瞬を撮影可能とするデジタルカメラを提供することができる。
【図面の簡単な説明】
【００１７】
【図１】本発明に係る第１の実施の形態のデジタルカメラの正面図及び側面図。
【図２】同デジタルカメラを背面側より見た外観斜視図。
【図３】同デジタルカメラの電気系のシステム構成を示すブロック図。
【図４】同デジタルカメラによる基本的な撮像動作について詳細に説明するタイムチャート。
【図５】同デジタルカメラによる連写モード（３コマ撮影）時の撮影動作について詳細に説明するタイムチャート。
【図６】同デジタルカメラによる連写モード（５コマ撮影）時の撮影動作について詳細に説明するタイムチャート。
【図７】同デジタルカメラによる撮影動作を更に詳細に説明するフローチャート。
【図８】本発明に係る第２の実施の形態のデジタルカメラによる撮影枚数設定に係る処理について詳細に説明するフローチャート。
【図９】同デジタルカメラによる撮影枚数設定に係る別の処理について詳細に説明するフローチャート。
【図１０】本発明に係る第３の実施の形態のデジタルカメラによる連写モード（１０コマ撮影）時の撮影動作について詳細に説明するタイミングチャート。
【図１１】本発明に係る第４の実施の形態のデジタルカメラの特徴的なストロボ発光動作（１コマ撮影時）を説明するタイミングチャート。
【図１２】本発明に係る第４の実施の形態のデジタルカメラの特徴的なストロボ発光動作（３コマ撮影時）を説明するタイミングチャート。
【図１３】本発明に係る第４の実施の形態のデジタルカメラの特徴的なストロボ発光動作（５コマ撮影時）を説明するタイミングチャート。
【発明を実施するための形態】
【００１８】
以下、図面を参照して、本発明の実施の形態について説明する。  
(第１の実施の形態)  
図１は本発明の第１の実施の形態に係るデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。  
これらの図１（ａ），（ｂ）に示されるように、このデジタルカメラ１は、ボディユニット２と該ボディユニット２に装着可能なレンズユニット３とで構成されている。  
即ち、レンズユニット３は、複数のレンズより成るもので、ボディユニット２内の後述する撮像素子１４に撮影光束を導くための撮影レンズ４を有している。
【００１９】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には自動測距を行うための測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。
【００２０】
そして、図２に示されるように、このデジタルカメラ１のボディユニット２の上面部には、表示部２０とシャッタ釦２１、サブダイヤル２２、撮影モードダイヤル２３、メインスイッチ２４、撮影枚数釦２７が設けられている。また、ボディユニット２の背面部には、ファインダ接眼部２６とモニタ１６、メインダイヤル２５が設けられている。  
より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。そして、撮影枚数釦２７は、連続撮影を行う際のコマ数を設定するための釦である。例えば、初期状態では１コマ撮影、撮影枚数釦２７が１回押下されると３コマ撮影、２回押下されると初期状態に復帰の如くコマ数が設定される。
【００２１】
図３は、本発明の第１の実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。  
レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、レンズユニット３内で使用される各種データが記憶されているものである。これらのレンズユニット３内の各部は、ボディユニット２内の制御回路４０からの指令に従って制御される。
【００２２】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、測距回路４５、測光回路４６、メモリ４７、記憶回路４８、スイッチ入力部５０、表示駆動回路５１、画像表示回路５３、イメージャ駆動回路５５、ストロボ駆動回路５７、上述したレンズユニット３内のレンズ駆動回路３１、絞り駆動回路３３及びレンズ内データ用メモリ３４が接続されている。
【００２３】
撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。測距回路４５は測距ユニット１２を駆動するためのものであり、この測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや、記録メディアへ書き込み前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１、サブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。イメージャ駆動回路５５は、イメージャ駆動ユニット５６を光軸方向に駆動するための回路である。ストロボ駆動回路５７はストロボ発光部５８を駆動制御するための回路である。
【００２４】
以下、図４のタイミングチャートを参照して、本発明の第１の実施の形態に係るデジタルカメラによる基本的な撮像動作について詳細に説明する。尚、図中、ｔＡはセカンドレリーズからのタイムラグを示しており、ｔＢはファインダの像消失時間を示している。
【００２５】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、セカンドレリーズがオンされてからｔＡ時間経過したタイミングで撮像素子１４による撮像を行う。
【００２６】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、全ての動作を終了する。  
尚、請求項記載の制御手段とは制御回路４０等に相当し、撮影回数設定手段、撮影モード選択手段、１駒撮影モード手段、複数駒撮影モード手段は、スイッチ入力部５０等に相当するものである。
【００２７】
次に、図５のタイミングチャートを参照して、本発明の第１の実施の形態に係るデジタルカメラによる連写モード（３コマ撮影）時の撮影動作について詳細に説明する。  
以下の説明では、図１乃至図３の構成図を適宜参照する。尚、図中、ｔＢはファインダの像消失時間を示し、ｔＩ１は１コマ目と２コマ目の間隔、ｔＩ２は２コマ目と３コマ目の間隔（ｔＩ１＝ｔＩ２＝３．３ｍｓｅｃ）、ｔ１は１コマ撮影までのレリーズタイムラグ、ｔ２は２コマ撮影までのレリーズタイムラグ（標準のレリーズタイムラグに相当）、ｔ３は３コマ撮影までのレリーズタイムラグ、をそれぞれ意味している。
【００２８】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ１，ｔ２，ｔ３をもって連続３回の撮像を撮像素子１４により行う。すなわち、制御回路４０は、連写モード時においては、通常撮影モード時の撮影タイミングで１回、そのタイミングの前後、所定の間隔ｔＩ１，ｔＩ２（＝３．３ｍｓｅｃ）のタイミングで２回の計３回の撮影を行うように制御することになる。
【００２９】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／ｓｅｃ程度の連写が可能な素子シャッタ付きのイメージャを採用する。
【００３０】
次に、図６のタイミングチャートを参照して、本発明の第１の実施の形態に係るデジタルカメラによる連写モード（５コマ撮影）時の撮影動作について詳細に説明する。  
以下の説明では、図１乃至図３の構成図を適宜参照する。尚、図６中、ｔＢはファインダの像消失時間を示し、ｔＩ１は１コマ目と２コマ目の間隔、ｔＩ２は２コマ目と３コマ目の間隔、ｔＩ３は３コマ目と４コマ目の間隔、ｔＩ４は４コマ目と５コマ目の間隔（ｔＩ１＝ｔＩ２＝ｔＩ３＝ｔＩ４＝２．０ｍｓｅｃ）、ｔ１は１コマ撮影までのレリーズタイムラグ、ｔ２は２コマ撮影までのレリーズタイムラグ、ｔ３は３コマ撮影までのレリーズタイムラグ（標準のレリーズタイムラグに相当）、ｔ４は４コマ撮影までのレリーズタイムラグ、ｔ５は５コマ撮影までのレリーズタイムラグ、をそれぞれ意味している。
【００３１】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ１，ｔ２，ｔ３，ｔ４，ｔ５をもって連続５回の撮像を撮像素子１４により行う。即ち、制御回路４０は連写モード時においては、通常撮影モード時の基本タイミングで１回、基本タイミングの前後、所定の間隔ｔＩ２，ｔＩ３のタイミングで２回、基本タイミングの前後、所定の間隔ｔＩ１＋ｔＩ２，ｔＩ３＋ｔＩ４のタイミングで２回の計５回の撮影を行うように制御する。
【００３２】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、５００コマ／ｓｅｃ程度の連写が可能な素子シャッタ付きのイメージャを採用する。
【００３３】
以下、図７のフローチャートを参照して、本発明の第１の実施の形態に係るデジタルカメラによる撮影動作を更に詳細に説明する。ここでは、図１乃至図３を適宜参照する。  
シャッタ釦２１が半押しされてファーストレリーズ（以下、１Ｒと略記する）がオンされると（ステップＳ１）、測距ユニット１２による測距、測光ユニット９による測光が行われ（ステップＳ２，Ｓ３）、被写体輝度が十分であるか（所定の閾値以下であるか否か）を判断し（ステップＳ４）、十分でない場合にはストロボ発光量演算を行い（ステップＳ５）、ストロボ発光のためのフラグＦを１にセットし（ステップＳ６）、ステップＳ７に移行してシャッタ釦２１の全押しによるセカンドレリーズ（以下、２Ｒと略記する）がオンされるまでステップＳ１乃至Ｓ７の処理を繰り返す。
【００３４】
２Ｒがオンされると（ステップＳ７）、クイックリターンミラー５をアップすると共にレンズの絞込みを行い（ステップＳ８）、連写モード（複数駒撮影モード）であるか否かを判断する（ステップＳ９）。ここで、連写モードである場合には、シャッタユニット４４に含まれるシャッタ先幕マグネットをオフし（ステップＳ１０）、撮像素子１４をリセットし（ステップＳ１１）、上記ストロボ発光に係るフラグＦの状態を検出し（ステップＳ１２）、Ｆ＝１である場合にはストロボ発光部５８によるストロボ発光を行う（ステップＳ１３）。一方、Ｆ＝０である場合には、撮像素子１４のデータを読み出し（ステップＳ１４）、露出設定回数だけ上記ステップＳ１１乃至Ｓ１４の処理を繰り返し、複数駒撮像を実行し（ステップＳ１５）、設定回数だけ処理が終了すると、シャッタ後幕マグネットをオフし（ステップＳ１６）、ステップＳ２３以降の処理に進む。
【００３５】
一方、連写モードではない場合には、シャッタユニット４４に含まれるシャッタ先幕マグネットをオフし（ステップＳ１８）、撮像素子１４をリセットし（ステップＳ１９）、上記ストロボ発光に係るフラグＦの状態を検出し（ステップＳ２０）、Ｆ＝１である場合にはストロボ発光部５８によるストロボ発光を行う（ステップＳ１３）。一方、このストロボ発光の後、或いは上記ステップＳ２０でＦ＝０である場合には、撮像素子１４のデータを読み出し（ステップＳ２１）、シャッタ後幕マグネットをオフし（ステップＳ２２）、ステップＳ２３以降の処理に進む。こうして、クイックリターンミラー５をダウンすると共にレンズ絞り開放とし（ステップＳ２３）、メカチャージを行い（ステップＳ２４）、ストロボ発光に係るフラグＦを０とし（ステップＳ２５）、この動作を終了する。
【００３６】
以上説明したように、本発明の第１の実施の形態によれば、被写体光束を上記観察光学系に導く第１の位置と、上記被写体光束の光路中から退避して上記被写体光束を撮像素子に導くため第２の位置に可動するクイックリターンミラー５と、このクイックリターンミラー５が上記第２の位置にある所定の期間に上記撮像素子１４を複数回の撮像を行なうように制御する制御回路４０を備えたデジタルカメラが提供される。
【００３７】
そして、このクイックリターンミラー５が上記第２の位置にある所定の期間に上記撮像素子１４に対し１回の撮像を行なわせる１駒撮影モードと、上記所定の期間に上記撮像素子に対し複数回の撮像を行なわせる複数駒撮影モードとのどちらかを選択して撮像を行なわせることも可能なカメラが提供される。即ち、本発明の第１の実施の形態に係るデジタルカメラによれば、素子シャッタを搭載した一眼レフカメラにおいて、全撮影シーケンスの時間は同等のままで、１回のクイックリターンミラーの駆動シーケンスにおける撮影枚数を１コマと複数コマに選択的に切換可能とすることができるので、複数コマを選択すれば、早く動く被写体等を的確に捉えた撮影が可能となる。
【００３８】
(第２の実施の形態)
以下、本発明の第２の実施の形態について説明するが、その構成は図１乃至図３と略同様であるため、ここでは同一構成については同一符号をもって説明する。  
前述した第１の実施の形態では、撮影枚数釦２７は、初期状態では１コマ撮影、撮影枚数釦２７が１回押下されると３コマ撮影、２回押下されると初期状態に復帰の如くコマ数が設定されていたが、第２の実施の形態では、撮影枚数釦２７は、初期状態では１コマ撮影、撮影枚数釦２７が１回押下されると３コマ撮影、２回押下されると５コマ撮影、３回押下されると初期状態に復帰の如くコマ数が設定される。さらに、撮影枚数釦２７をオンした状態でメインダイヤル２４を回すことにより任意の枚数に設定可能となっている。以下、これら特徴的な処理について更に詳細に説明する。尚、請求項に記載の１駒撮影モード手段、複数駒撮影モード手段は、撮影枚数釦２７やメインダイヤル２５等に相当する。
【００３９】
先ず、図８のフローチャートを参照して、本発明の第２の実施の形態に係るデジタルカメラによる撮影枚数設定に係る処理について詳細に説明する。  
制御回路４０は撮影枚数釦２７が押下されたことを検出すると（ステップＳ３１）、当該撮影枚数釦２７の押下回数に応じて撮影枚数を設定する。即ち、１回押下された場合には撮影枚数を３枚と設定し、２回押下された場合には撮影枚数を５枚に設定し、３回押下された場合には撮影枚数を１枚に設定する（ステップＳ３２乃至Ｓ３６）。
【００４０】
次に、図９のフローチャートを参照して、本発明の第２の実施の形態に係るデジタルカメラによる撮影枚数設定に係る別の処理について詳細に説明する。  
撮影枚数釦２７が押下されると（ステップＳ４１）、設定済の撮影枚数を表示ユニット５２に含まれる表示部２０に表示し（ステップＳ４２）、メインダイヤル２５が回動されたか否かを検出する（ステップＳ４３）。このステップＳ４３で、当該メインダイヤル２５が回動されていない場合には上記ステップＳ４１に戻り、回動されている場合にはパルスが所定数発生しているか否かを検出する（ステップＳ４４）。
【００４１】
このステップＳ４４で、パルスが所定数発生していない場合には上記ステップＳ４１に戻り、所定数発生している場合には設定済の撮影枚数が上限値であるか否かを検出する（ステップＳ４５）。そして、このステップＳ４５で、撮影枚数が上限値である場合には上記ステップＳ４１に戻る。  
その一方、上限値でない場合には下限値（１枚）であるか否かを検出する（ステップＳ４６）。そして、このステップＳ４６で下限値である場合には上記ステップＳ４１に戻る。その一方、下限値でない場合にはメインダイヤル２５が左回転したか否かを検出する（ステップＳ４７）。このステップＳ４７で、メインダイヤル２５が左回転した場合には現在設定されている撮影枚数に対し＋２の加算を行い（ステップＳ４８）、撮影枚数設定上限値になったか否かを検出する（ステップＳ４９）。  
このステップＳ４９で、上限値になった場合には上記ステップＳ４２に戻り、上記処理を繰り返す。その一方、上限値になっていない場合には加算後の撮影枚数を表示ユニット５２に含まれる表示部２０に表示しステップＳ４１に戻り、上記動作を繰り返す。
【００４２】
一方、ステップＳ４７にて、メインダイヤル２５が左回転していない場合には現在設定されている撮影枚数に対し−２の減算を行い（ステップＳ５１）、撮影枚数設定が下限値(１枚)になったか否かを検出し（ステップＳ５２）、下限値になった場合には上記ステップＳ４２に戻り上記動作を繰り返す。その一方、下限値になっていない場合には減算後の撮影枚数を表示ユニット５２に含まれる表示部２０に表示し（ステップＳ５３）、上記ステップＳ４１に戻る。上記ステップＳ４１で撮影枚数釦２７が押下されていない場合には本処理を抜けることになる。
【００４３】
以上説明したように、本発明の第２の実施の形態によれば、被写体光束を上記観察光学系に導く第１の位置と、上記被写体光束の光路中から退避して上記被写体光束を撮像素子１４に導くため第２の位置に可動するクイックリターンミラー５と、このクイックリターンミラー５が上記第２の位置にあり所定の期間に上記撮像素子１４に対し任意回数の撮像を行なわせるよう制御する制御回路４０を備えたデジタルカメラが提供される。
【００４４】
さらに、上記反射ミラーが上記第２の位置にある所定の期間に上記撮像素子に対し任意回数の撮像を行なわせる複数駒撮影モードのときの撮像回数を設定する撮像回数設定手段（撮影枚数釦２７、メインダイヤル２５）と、この撮像回数設定に基づいて撮影を制御する制御回路４０を備えたデジタルカメラが提供される。また、上記反射ミラーが上記第１の位置から上記第２の位置に、そして上記第１の位置に移動する所定の期間に上記撮像素子１４に対し１回の撮像を行なわせる１駒撮影モードと上記所定の期間に上記撮像素子１４に対し任意回数の撮像を行なわせる複数駒撮影モードとのどちらかの撮影モードを選択して撮影を制御する制御回路４０を備えたデジタルカメラが提供される。さらに、上記複数駒撮影モードのときの撮像回数を設定する撮像回数設定手段を更に有し、上記撮影モード選択手段の選択結果に基づいて撮影を制御することもできる。
【００４５】
即ち、本発明の第２の実施の形態によれば、１回のミラー駆動シーケンスにおける撮影枚数を切換可能なカメラにおいて、撮影コマ数を可変自在とすることができる。これは例えば３００コマ／秒程度の連写可能な素子シャッタ付きイメージャを採用することで実現されるものである。連写モード時には、露光基準位置を中心として前後に所定間隔だけおいたタイミングで均等に設定枚数の撮影を行うことができる。
【００４６】
(第３の実施の形態)
前述した第２の実施の形態に係るデジタルカメラでは、撮影枚数を任意に設定可能としていたが、この第３の実施の形態に係るデジタルカメラは、このような考え方を基本としつつ、連写モード時に設定枚数が多く、露光基準位置の前後での撮影では対応不十分となるような場合に、当該露光基準位置の後方で撮影を行うものである。より具体的には、露光基準位置の後方で撮影を行う場合に、当該撮影に必要な時間が十分確保できるようにクイックリターンミラー５をダウンするタイミングを遅延させることとしている。尚、第３の実施の形態に係るデジタルカメラの構成は図１乃至図３と略同様であるので、ここでは重複した説明は省略し、同一構成については同一符号をもって説明する。
【００４７】
次に、図１０のタイミングチャートを参照して、本発明の第３の実施の形態に係るデジタルカメラによる連写モード（１０コマ撮影）時の撮影動作について詳細に説明する。  
以下の説明では、図１乃至図３の構成図を適宜参照する。尚、図中、ｔＢ’はファインダの像消失時間を示し、ｔＩは各コマ間の間隔をそれぞれ意味している。  
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔＩをもって連続１０回の撮像を撮像素子１４により行う。即ち、制御回路４０は、連写モード時において、クイックリターンミラー５をダウンする時間を遅延させて計１０回の撮影を行うように制御することになる。クイックリターンミラー５は、この遅延分も含めたファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。  
以上の撮影動作を実現すべく、この実施の形態では、３００コマ／ｓｅｃ程度の連写が可能な素子シャッタ付きのイメージャを採用する。
【００４８】
以上説明したように、本発明の第３の実施の形態によれば、被写体光束を上記観察光学系に導く第１の位置と、上記被写体光束の光路中から退避して上記被写体光束を撮像素子１４に導くため第２の位置に可動するクイックリターンミラー５と、このミラー５が上記第２の位置にある所定の期間内に上記撮像素子１４に対し複数回の撮像を行なうことが可能で、上記複数回の撮像を行なうときに、所定回数以上の撮像動作を行い上記所定の期間を越える場合は上記ミラー５を上記第２の位置から上記第１の位置に移動させる時期を上記所定回数未満での撮像のときよりも遅延させるよう制御する制御回路４０と、を備えたデジタルカメラが提供される。また、制御回路４０が上記複数駒撮影モードで上記複数回の撮像を行なうときに、所定回数以上の撮像動作を行い上記所定の期間を越える場合は上記ミラー５を上記第２の位置から上記第１の位置に移動させる時期を上記所定回数未満での撮像のときよりも遅延させることもできる。
【００４９】
即ち、本発明の第３の実施の形態によれば、１回のミラー駆動シーケンスにおける撮影枚数を切換可能なカメラにおいて、必要な枚数を設定し、その枚数に応じて制御回路の制御によりクイックリターンミラー５のダウンタイミングを遅延させることで、当該枚数の撮影を可能とする。
【００５０】
(第４の実施の形態)
この第４の実施の形態では、前述した第１乃至第３の実施の形態に更にストロボ発光制御の工夫を加えたものである。即ち、この第４の実施の形態では、１回のミラー駆動シーケンスにおける撮影枚数を前述した第２、第３の実施の形態として前述したように切換可能なカメラにおいて、各露光に同期してストロボを閃光発光させることを特徴とする。  
尚、第４の実施の形態に係るデジタルカメラの構成は、図１乃至図３と同様であるので重複した説明は省略し、同一構成については同一符号をもって説明する。
【００５１】
以下、図１１乃至図１３のタイミングチャートを参照して、第４の実施の形態に係るデジタルカメラの特徴的なストロボ発光動作を説明する。これら図１１乃至図１３は図４乃至図６と重複しているため、ここではストロボ発光に係る特徴部分のみを説明する。  
図１１の例は、１回の撮影動作を行うものであるが、この場合、制御回路４０は、撮像素子１４の露光のタイミングに同期してストロボ発光部５８を発光させる。図１２の例は３回の撮影動作を行うものであるが、この場合、制御回路４０は、撮像素子１４の各露光のタイミング（レリーズタイムラグｔ１，ｔ２，ｔ３）に同期してストロボ発光部５８を発光させるように制御する。図中のストロボ発光時間ｔｓ１，ｔｓ２，ｔｓ３は同間隔である。
【００５２】
図１３の例は、５回の撮影動作を行うものであるが、この場合、制御回路４０は、撮像素子１４の各露光のタイミング（レリーズタイムラグｔ１〜ｔ５）に同期してストロボ発光部５８を発光させるように制御する。図中のストロボ発光時間ｔｓ１，ｔｓ２，ｔｓ３，ｔｓ４，ｔｓ５は、ｔｓ１＜ｔｓ２＜ｔｓ３＜ｔｓ４＜ｔｓ５との関係になって各コマの露出状態を変化させて撮影することができる。
【００５３】
以上説明したように、本発明の第４の実施の形態によれば、被写体光束を上記観察光学系に導く第１の位置と、上記被写体光束の光路中から退避して上記被写体光束を撮像素子に導くため第２の位置に可動するクイックリターンミラー５と、被写体に対し発光を行なうストロボ装置を発光させるための発光信号を出力し、上記ミラー５が上記第２の位置にある所定の期間に上記撮像素子１４に対し複数回の撮像を行なわせ、各撮像に同期させて上記発光信号を出力可能とする制御回路４０とを備えたデジタルカメラが提供される。
【００５４】
さらに、この第４の実施の形態によれば、上記反射ミラー５が上記第２の位置にある所定の期間に上記撮像素子１４に対し複数回の撮像を行なわせる複数駒撮影モード手段（撮影枚数釦２７、メインダイヤル２５）を備え、上記制御回路４０が上記複数駒撮影モード時において、発光信号を上記撮像それぞれに同期して出力するように制御する。即ち、本発明の第４の実施の形態によれば、設定された撮影枚数のそれぞれの露光タイミングに同期させて、ストロボ発光部を閃光発光させることができる。このとき、ストロボのエネルギーを効率良く使うことができる。
【００５５】
以上、本発明の実施の形態について説明したが、本発明はこれに限定されることなくその主旨を逸脱しない範囲で種々の改良・変更が可能である。例えば、前述した技術はデジタルカメラのみならず、撮像素子を用いて撮影を行なう各種の装置に適用可能である。
【符号の説明】
【００５６】
１：デジタルカメラ、２：ボディユニット、３：レンズユニット、４：撮影レンズ、５：クイックリターンミラー、６：ファインダスクリーン、７：ペンタプリズム、８：接眼光学系、９：測光ユニット、１０：バッテリ、１１：測距用ミラー、１２：測距ユニット、１３：フォーカルプレーンシャッタ、１４：撮像素子、１５：メイン回路基板、１６：モニタ。
【図１】
2010206818.tif 000003
【図２】
2010206818.tif 000004
【図３】
2010206818.tif 000005
【図４】
2010206818.tif 000006
【図５】
2010206818.tif 000007
【図６】
2010206818.tif 000008
【図７】
2010206818.tif 000009
【図８】
2010206818.tif 000010
【図９】
2010206818.tif 000011
【図１０】
2010206818.tif 000012
【図１１】
2010206818.tif 000013
【図１２】
2010206818.tif 000014
【図１３】
2010206818.tif 000015